(57)【要約】【課題】サイドウォール部にその表面から突出する表示部を設けるにあたって、加硫時のゴム流れ不良の発生を効果的に抑制するようにした空気入りタイヤを提供する。【解決手段】サイドウォール部２にその表面から突出する表示部１１を設けた空気入りタイヤにおいて、表示部１１の表面に金型のベントホール２１を配置し、表示部１１の表面とサイドウォール部２の表面との高低差がベントホール２１の位置に近づくに連れて大きくなるように表示部１１を形成する。【選択図】図２
2008265502.tif 000002
【特許請求の範囲】
【請求項１】
サイドウォール部にその表面から突出する表示部を設けた空気入りタイヤにおいて、前記表示部の表面に金型のベントホールを配置し、前記表示部の表面と前記サイドウォール部の表面との高低差が前記ベントホールの位置に近づくに連れて大きくなるように前記表示部を形成したことを特徴とする空気入りタイヤ。
【請求項２】
前記ベントホールの位置での前記表示部の表面と前記サイドウォール部の表面との高低差をＨ１とし、前記表示部の表面と前記サイドウォール部の表面とが最も近づく位置での高低差をＨ２としたとき、０．５≦Ｈ２／Ｈ１≦０．９の関係を満足することを特徴とする請求項１に記載の空気入りタイヤ。
【請求項３】
サイドウォール部にその表面から突出する表示部を設け、該表示部を内陸部と該内陸部を取り囲みつつ該内陸部よりもサイドウォール部の表面からの突出量が大きい輪郭部とから構成した空気入りタイヤにおいて、前記表示部の輪郭部の表面に金型のベントホールを配置し、前記表示部の輪郭部の表面と前記サイドウォール部の表面との高低差が前記ベントホールの位置に近づくに連れて大きくなるように前記表示部を形成したことを特徴とする空気入りタイヤ。
【請求項４】
前記ベントホールの位置での前記表示部の輪郭部の表面と前記サイドウォール部の表面との高低差をＨ１とし、前記表示部の輪郭部の表面と前記サイドウォール部の表面とが最も近づく位置での高低差をＨ２としたとき、０．５≦Ｈ２／Ｈ１≦０．９の関係を満足することを特徴とする請求項３に記載の空気入りタイヤ。
【発明の詳細な説明】
【技術分野】
【０００１】
本発明は、サイドウォール部にその表面から突出する表示部を設けた空気入りタイヤに関し、更に詳しくは、加硫時のゴム流れ不良の発生を効果的に抑制することを可能にした空気入りタイヤに関する。
【背景技術】
【０００２】
従来、空気入りタイヤにおいて、サイドウォール部にその表面から突出する文字や数字等の表示部を設けることが行われている。このような表示部を形成する場合、タイヤの金型に表示部に対応する凹部が加工され、加硫時に凹部内にゴムが流れ込むことで表示部が形成される。しかしながら、凹部内へのゴムの流入が不十分であると表示部の一部が欠落して外観が損なわれるという不都合がある。このような不都合は特に表示部を内陸部と該内陸部を取り囲みつつ該内陸部よりもサイドウォール部の表面からの突出量が大きい輪郭部とから構成した場合に顕著に発生している。
【０００３】
これに対して、内陸部と輪郭部の寸法を規定することにより、加硫時のゴム流れ不良の発生を抑制することが提案されている（例えば、特許文献１参照）。しかしながら、内陸部と輪郭部の寸法を規定するだけでは、ゴム流れ不良の発生を抑制する効果は十分に得られないのが現状である。
【特許文献１】特開平１０−６７２０８号公報
【発明の開示】
【発明が解決しようとする課題】
【０００４】
本発明の目的は、サイドウォール部にその表面から突出する表示部を設けるにあたって、加硫時のゴム流れ不良の発生を効果的に抑制することを可能にした空気入りタイヤを提供することにある。
【課題を解決するための手段】
【０００５】
上記目的を達成するための本発明の空気入りタイヤは、サイドウォール部にその表面から突出する表示部を設けた空気入りタイヤにおいて、前記表示部の表面に金型のベントホールを配置し、前記表示部の表面と前記サイドウォール部の表面との高低差が前記ベントホールの位置に近づくに連れて大きくなるように前記表示部を形成したことを特徴とするものである。
【０００６】
また、上記目的を達成するための本発明の空気入りタイヤは、サイドウォール部にその表面から突出する表示部を設け、該表示部を内陸部と該内陸部を取り囲みつつ該内陸部よりもサイドウォール部の表面からの突出量が大きい輪郭部とから構成した空気入りタイヤにおいて、前記表示部の輪郭部の表面に金型のベントホールを配置し、前記表示部の輪郭部の表面と前記サイドウォール部の表面との高低差が前記ベントホールの位置に近づくに連れて大きくなるように前記表示部を形成したことを特徴とするものである。
【発明の効果】
【０００７】
本発明では、サイドウォール部にその表面から突出する表示部を設けた空気入りタイヤにおいて、表示部の表面に金型のベントホールを配置し、表示部の表面とサイドウォール部の表面との高低差がベントホールの位置に近づくに連れて大きくなるように表示部を形成することにより、加硫時において表示部に対応する金型の凹部から空気が抜け易くなり、ゴム流れ不良の発生を効果的に抑制することができる。
【０００８】
ここで、ベントホールの位置での表示部の表面とサイドウォール部の表面との高低差をＨ１とし、表示部の表面とサイドウォール部の表面とが最も近づく位置での高低差をＨ２としたとき、０．５≦Ｈ２／Ｈ１≦０．９の関係を満足することが好ましい。これにより、表示部の視認性を損なうことなくゴム流れ不良の発生を効果的に抑制することが可能になる。
【０００９】
一方、サイドウォール部にその表面から突出する表示部を設け、該表示部を内陸部と該内陸部を取り囲みつつ該内陸部よりもサイドウォール部の表面からの突出量が大きい輪郭部とから構成した空気入りタイヤにおいて、表示部の輪郭部の表面に金型のベントホールを配置し、表示部の輪郭部の表面とサイドウォール部の表面との高低差がベントホールの位置に近づくに連れて大きくなるように表示部を形成することにより、加硫時において表示部に対応する金型の凹部から空気が抜け易くなり、ゴム流れ不良の発生を効果的に抑制することができる。
【００１０】
ここで、ベントホールの位置での表示部の輪郭部の表面とサイドウォール部の表面との高低差をＨ１とし、表示部の輪郭部の表面とサイドウォール部の表面とが最も近づく位置での高低差をＨ２としたとき、０．５≦Ｈ２／Ｈ１≦０．９の関係を満足することが好ましい。これにより、表示部の視認性を損なうことなくゴム流れ不良の発生を効果的に抑制することが可能になる。
【発明を実施するための最良の形態】
【００１１】
以下、本発明の構成について添付の図面を参照しながら詳細に説明する。図１は本発明の実施形態からなる空気入りタイヤを示し、１はトレッド部、２はサイドウォール部、３はビード部である。左右一対のビード部３，３間にはカーカス層４が装架され、そのカーカス層４の端部がビードコア５の廻りにタイヤ内側から外側に折り返されている。トレッド部１におけるカーカス層４の外周側には複数層のベルト層６が埋設されている。但し、タイヤ内部構造は特に限定されるものではない。
【００１２】
上記空気入りタイヤにおいて、サイドウォール部２には、その表面から突出する表示部１１が形成されている。表示部１１は、その形状が特に限定されるものではなく、文字、数字、記号、図形等の任意の形状を形作るものである。サイドウォール部２に表示部１１を形成する場合、タイヤの金型に表示部１１に対応する凹部が加工され、加硫時に凹部内にゴムが流れ込むことで表示部１１が形成される。ゴムが流れ込む際に凹部内に存在する空気を抜くために、表示部１１の表面に金型のベントホールを配置することが行われている。ここで、ベントホール数を増やせばゴム流れ不良の発生を効果的に抑えることができるが、ベントホールにより表示部１１から突出する多数のゴム片が形成されるとタイヤの外観が悪化することになる。そのため、ベントホール数は少なくすることが望まれている。そこで、表示部１１の表面に金型のベントホールを配置すると共に、表示部１１の表面とサイドウォール部２の表面との高低差がベントホールの位置に近づくに連れて大きくなるように表示部１１を形成するのである。
【００１３】
図２は本発明における表示部の一例を示す斜視図であり、図３は図２の表示部における点ａ，ｂを含む側面を示す側面図であり、図４は図２の表示部における点ａ，ｃを含む側面を示す側面図である。図２〜図４に示すように、表示部１１の表面（表示すべき形状を表す頂面）には金型のベントホール２１が配置されている。そして、表示部１１の表面とサイドウォール部２の表面との高低差がベントホール２１の位置に近づくに連れて大きくなるように表示部１１が形成されている。より具体的には、ベントホール２１の位置での表示部１１の表面とサイドウォール部２の表面との高低差をＨ１とし、表示部１１の表面とサイドウォール部２の表面とが最も近づく位置での高低差をＨ２としたとき、０．５≦Ｈ２／Ｈ１≦０．９の関係を満足するようになっている。
【００１４】
図５は本発明における表示部の変形例を示す斜視図であり、図６は図５の表示部における点ａ，ｂを含む側面を示す側面図であり、図７は図５の表示部における点ａ，ｃを含む側面を示す側面図である。図５〜図７に示すように、表示部１１は内陸部１１Ａと該内陸部１１Ａを取り囲みつつ該内陸部１１Ａよりもサイドウォール部２の表面からの突出量が大きい輪郭部１１Ｂとから構成されている。この表示部１１の輪郭部１１Ｂの表面（表示すべき形状を表す頂面）には金型のベントホール２１が配置されている。そして、表示部１１の輪郭部１１Ｂの表面とサイドウォール部２の表面との高低差がベントホール２１の位置に近づくに連れて大きくなるように表示部１１が形成されている。より具体的には、ベントホール２１の位置での表示部１１の輪郭部１１Ｂの表面とサイドウォール部２の表面との高低差をＨ１とし、表示部１１の輪郭部１１Ｂの表面とサイドウォール部２の表面とが最も近づく位置での高低差をＨ２としたとき、０．５≦Ｈ２／Ｈ１≦０．９の関係を満足するようになっている。
【００１５】
図８は本発明の空気入りタイヤを成形するための金型の要部を示す断面図である。図８に示すように、金型Ｍの表示部１１に対応する位置には凹部２２が形成されている。表示部１１の構造を上述の如く規定した場合、金型Ｍの凹部２２は表示部１１の高低差に対応するようにベントホール２１の位置で最も深くなる。そのため、加硫時に未加硫ゴムＲが凹部２２に流れ込む際に、その未加硫ゴムＲが凹部２２の浅い部分から深い部分に向かって順次充填され、凹部２２内の空気は最も深い位置に配置されたベントホール２１から確実に排出される。その結果、エア溜まりの形成を回避し、ゴム流れ不良の発生を効果的に抑制することができる。
【００１６】
ここで、表示部１１の表面とサイドウォール部２の表面との高低差について、０．５≦Ｈ２／Ｈ１≦０．９の関係を満足することにより、表示部１１の視認性を損なうことなくゴム流れ不良の発生を効果的に抑制することができる。Ｈ２／Ｈ１＜０．５であると表示部１１の視認性が低下し、Ｈ２／Ｈ１＞０．９であるとゴム流れ不良の抑制効果が不十分になる。
【００１７】
図９及び図１０はそれぞれ本発明における表示部の更なる変形例を示すものである。図９において、表示部１１の表面とサイドウォール部２の表面との高低差はベントホール２１の位置に近づくに連れて大きくなっているが、その表示部１１の表面は平面ではなく凹状の曲面になっている。図１０においては、表示部１１の表面とサイドウォール部２の表面との高低差はベントホール２１の位置に近づくに連れて大きくなっているが、ベントホール２１の両側で表示部１１の表面の逆方向に傾いている。このように表示部１１の表面とサイドウォール部２の表面との高低差がベントホール２１の位置に近づくに連れて大きくなる関係を満足する限りにおいて、種々の構造を採用することができる。
【実施例】
【００１８】
タイヤサイズ２９５／８０Ｒ２２．５で、サイドウォール部にその表面から突出する表示部を設け、該表示部を内陸部と該内陸部を取り囲みつつ該内陸部よりもサイドウォール部の表面からの突出量が大きい輪郭部とから構成した空気入りタイヤにおいて、表示部の輪郭部の表面に金型のベントホールを配置し、ベントホールの位置での表示部の輪郭部の表面とサイドウォール部の表面との高低差Ｈ１と、表示部の輪郭部の表面とサイドウォール部の表面とが最も近づく位置での高低差Ｈ２との比（Ｈ２／Ｈ１）を種々異ならせた実施例１〜５及び従来例のタイヤを製作した。
【００１９】
これら試験タイヤについて、下記の方法により、視認性を評価し、ゴム流れ不良発生率を求め、その結果を表１に示した。
【００２０】
視認性：
試験タイヤについて、表示部の視認性を１００点満点の指数にて評価した。この指数値が大きいほど視認性が良好であることを意味する。指数値が８０未満の場合、視認性が不十分であると判断する。
【００２１】
ゴム流れ不良発生率：
各試験タイヤをそれぞれ大量に生産し、表示部におけるゴム流れ不良発生率を求めた。ゴム流れ不良発生率が０．３０％以下の場合、ゴム流れ不良の抑制効果が十分にあると判断する。
【００２２】
【表１】
2008265502.tif 000003
【００２３】
この表１から明らかなように、実施例１〜５のタイヤはゴム流れ不良発生率が低く、しかも表示部の視認性が良好であった。
【図面の簡単な説明】
【００２４】
【図１】本発明の実施形態からなる空気入りタイヤを示す子午線半断面図である。
【図２】本発明における表示部の一例を示す斜視図である。
【図３】図２の表示部における点ａ，ｂを含む側面を示す側面図である。
【図４】図２の表示部における点ａ，ｃを含む側面を示す側面図である。
【図５】本発明における表示部の変形例を示す斜視図である。
【図６】図５の表示部における点ａ，ｂを含む側面を示す側面図である。
【図７】図５の表示部における点ａ，ｃを含む側面を示す側面図である。
【図８】本発明の空気入りタイヤを成形するための金型の要部を示す断面図である。
【図９】本発明における表示部の更なる変形例を示す側面図である。
【図１０】本発明における表示部の更なる変形例を示す側面図である。
【符号の説明】
【００２５】
１  トレッド部
２  サイドウォール部
３  ビード部
１１  表示部
１１Ａ  内陸部
１１Ｂ  輪郭部
２１  ベントホール
【図１】
2008265502.tif 000004
【図２】
2008265502.tif 000005
【図３】
2008265502.tif 000006
【図４】
2008265502.tif 000007
【図５】
2008265502.tif 000008
【図６】
2008265502.tif 000009
【図７】
2008265502.tif 000010
【図８】
2008265502.tif 000011
【図９】
2008265502.tif 000012
【図１０】
2008265502.tif 000013